(57)【要約】【課題】公差を増大させて製造コストを下げることができる上、レンズ環体を回転させる際の手の感触を向上させることができるネットワークカメラのハウジングを提供する。【解決手段】ネットワークカメラのハウジングは、ベース１、レンズ環体３及びフレキシブル環体２を備える。ベース１は、第１の結合部１１１が設けられた嵌合孔１１を有する。レンズ環体３は、上側に環設された第１のリング状凸縁３１と、上側と下側との間に環設された第２の結合部３２及び第２のリング状凸縁３３とを有する。第１のリング状凸縁３１は、嵌合孔１１の上側に当接される。第２のリング状凸縁３３は、第１の結合部１１１の下側に当接される。フレキシブル環体２は、第１の結合部１１１と第２の結合部３２との間に挟設され、第１のリング状凸縁３１と第２のリング状凸縁３３との間に位置する。【選択図】図３
0003162451.tif 000002
【実用新案登録請求の範囲】
【請求項１】
ベース、レンズ環体及びフレキシブル環体を備えるネットワークカメラのハウジングであって、
前記ベースは、第１の結合部が設けられた嵌合孔を有し、
前記レンズ環体は、上側に環設された第１のリング状凸縁と、上側と下側との間に環設された第２の結合部及び第２のリング状凸縁と、を有し、前記第１のリング状凸縁は、前記嵌合孔の上側に当接され、前記第２のリング状凸縁は、前記第１の結合部の下側に当接され、前記レンズ環体の前記第１のリング状凸縁と前記第２のリング状凸縁とは、前記嵌合孔により互いに離間され、
前記フレキシブル環体は、前記第１の結合部と前記第２の結合部との間に挟設され、前記第１のリング状凸縁と前記第２のリング状凸縁との間に位置することを特徴とするネットワークカメラのハウジング。
【請求項２】
前記第１の結合部は第１の環溝であり、
前記第２の結合部は第２の環溝であることを特徴とする請求項１に記載のネットワークカメラのハウジング。
【請求項３】
前記嵌合孔は、前記第１の結合部を通るチャネルと、前記第１の結合部の下側に設けられたストッパーと、を有し、
前記レンズ環体の外周縁に設けられた案内ピンは、前記第１の結合部の下側に位置し、前記チャネルに貫設し、
前記ストッパーは、前記案内ピンの位置を拘束することを特徴とする請求項２に記載のネットワークカメラのハウジング。
【請求項４】
一方の側部に設けられた貫通孔と、他方の側部に設けられた接合溝と、をそれぞれ有する複数の扉体をさらに備え、
前記レンズ環体は、下側に設けられた複数の凸柱を有し、
前記ベースの中には、複数の凸縁が設けられ、
前記凸柱のそれぞれは、前記貫通孔に貫設され、
前記接合溝のそれぞれは、前記凸縁に当接するように設けられていることを特徴とする請求項１に記載のネットワークカメラのハウジング。
【請求項５】
一方の側部に設けられた貫通孔と、他方に側部に設けられた接合溝と、をそれぞれ有する複数の扉体をさらに備え、
前記レンズ環体は、下側に設けられた複数の凸柱を有し、
前記ベースの中には、複数の凸縁が設けられ、
前記凸柱のそれぞれは、前記貫通孔に貫設され、
前記接合溝のそれぞれは、前記凸縁に当接するように設けられていることを特徴とする請求項２に記載のネットワークカメラのハウジング。
【請求項６】
一方の側部に設けられた貫通孔と、他方に側部に設けられた接合溝と、をそれぞれ有する複数の扉体をさらに備え、
前記レンズ環体は、下側に設けられた複数の凸柱を有し、
前記ベースの中には、複数の凸縁が設けられ、
前記凸柱のそれぞれは、前記貫通孔に貫設され、
前記接合溝のそれぞれは、前記凸縁に当接するように設けられていることを特徴とする請求項３に記載のネットワークカメラのハウジング。
【請求項７】
前記扉体は、互いに当接させて閉めることが可能なように側部が傾斜面に形成されていることを特徴とする請求項４に記載のネットワークカメラのハウジング。
【請求項８】
前記扉体は、互いに当接させて閉めることが可能なように側部が傾斜面に形成されていることを特徴とする請求項５に記載のネットワークカメラのハウジング。
【請求項９】
前記扉体は、互いに当接させて閉めることが可能なように側部が傾斜面に形成されていることを特徴とする請求項６に記載のネットワークカメラのハウジング。
【請求項１０】
前記ベースは、両側にそれぞれ設けられた枢着部を有することを特徴とする請求項１乃至９の何れかに記載のネットワークカメラのハウジング。
【請求項１１】
前記枢着部は枢着孔であることを特徴とする請求項１０に記載のネットワークカメラのハウジング。
【考案の詳細な説明】
【技術分野】
【０００１】
本考案は、ネットワークカメラのハウジングに関し、特に、公差を増大させて製造コストを下げ、レンズ環体を回転させるときの手の感触を向上させることができるネットワークカメラのハウジングに関する。
【背景技術】
【０００２】
現代社会は、ネットワークの発達により、情報の流通が速く、人々の間で行き交う情報は主にネットワークを介するようになってきている。ネットワークは、文字情報を伝達することができる以外に、ネットワークの伝送帯域及び速度の急速な成長により、オーディオ情報及びビデオ情報を伝達することもできるようになったため、自然にネットワークカメラが生まれた。
【０００３】
図１及び図２を参照する。図１及び図２に示すように、従来のネットワークカメラのハウジングは、ベース６、レンズ環体７及び２つの扉体８を含む。ベース６は、両側にそれぞれ設けられた軸孔６２と、両側の間に設けられた嵌合孔６１と、を有する。嵌合孔６１の中には、環溝６１１が設けられている。レンズ環体７には、リング状凸縁７１が設けられている。レンズ環体７は、ベース６に対向するように設けられた複数の凸柱７２を有し、環溝６１１の中にリング状凸縁７１を入れ、ベース６の嵌合孔６１にレンズ環体７を組み合わせる。複数の扉体８は、一方の側部に設けられた貫通孔８１と、他方に側部に設けられた接合溝８２と、を有する。貫通孔８１には、複数の凸柱７２がそれぞれ貫設され、レンズ環体７を回転させることにより、扉体８を開閉してレンズの開閉を制御することができる。
【０００４】
しかし、従来のネットワークカメラのハウジングのレンズ環体７とベース６とは、リング状凸縁７１と環溝６１１とを直接接触させて組み合わされており、力を以って力に対向する構造であるため、ユーザがレンズ環体７を回転させるときに、粗くて不慣れでぎこちない感触を手に与え、使用するユーザに不快感を与える虞があった。また、レンズ環体７のリング状凸縁７１又はベース６の嵌合孔６１の中の環溝６１１の真円度が十分でなかったり、バリ又は変形が発生したりした場合、レンズ環体７がスムーズに回転しなくなる虞があった。
【０００５】
公差が小さすぎる場合、レンズ環体７とベース６との間隔が小さすぎてスムーズに回転しなくなり、レンズ環体７を回転させる際、ユーザの手に不快な感触を与える虞があり、公差が大きすぎる場合、レンズ環体７とベース６との間隔が大きすぎて緩くなり、所定の回転角度でレンズ環体７を位置決めさせることができなくなる虞がある。そのため、ベース６に対してレンズ環体７をスムーズに回転させるために、レンズ環体７のリング状凸縁７１及びベース６の環溝６１１の公差を精確に制御する必要がある。しかし、公差を精確に制御して設計及び加工を行う場合、工数の増加により製造コストが増えることが一般的であった。
【０００６】
そのため、公差を増大させて製造コストを下げるとともに、レンズ環体を回転させるときの手の感触が好ましいネットワークカメラが求められていた。
【考案の概要】
【考案が解決しようとする課題】
【０００７】
本考案の目的は、公差を増大させて製造コストを下げるネットワークカメラのハウジングを提供することにある。
【０００８】
本考案のもう一つの目的は、レンズ環体を回転させる際の手の感触を向上させることができるネットワークカメラのハウジングを提供することにある。
【課題を解決するための手段】
【０００９】
上記課題を解決するために、本考案の第１の形態によれば、ベース、レンズ環体及びフレキシブル環体を備えるネットワークカメラのハウジングであって、前記ベースは、第１の結合部が設けられた嵌合孔を有し、前記レンズ環体は、上側に環設された第１のリング状凸縁と、上側と下側との間に環設された第２の結合部及び第２のリング状凸縁と、を有し、前記第１のリング状凸縁は、前記嵌合孔の上側に当接され、前記第２のリング状凸縁は、前記第１の結合部の下側に当接され、前記レンズ環体の前記第１のリング状凸縁と前記第２のリング状凸縁とは、前記嵌合孔により互いに離間され、前記フレキシブル環体は、前記第１の結合部と前記第２の結合部との間に挟設され、前記第１のリング状凸縁と前記第２のリング状凸縁との間に位置することを特徴とするネットワークカメラのハウジングが提供される。
【００１０】
また、前記第１の結合部は第１の環溝であり、前記第２の結合部は第２の環溝であることが好ましい。
【００１１】
また、前記嵌合孔は、前記第１の結合部を通るチャネルと、前記第１の結合部の下側に設けられたストッパーと、を有し、前記レンズ環体の外周縁に設けられた案内ピンは、前記第１の結合部の下側に位置し、前記チャネルに貫設し、前記ストッパーは、前記案内ピンの位置を拘束することが好ましい。
【００１２】
また、一方の側部に設けられた貫通孔と、他方の側部に設けられた接合溝と、をそれぞれ有する複数の扉体をさらに備え、前記レンズ環体は、下側に設けられた複数の凸柱を有し、前記ベースの中には、複数の凸縁が設けられ、前記凸柱のそれぞれは、前記貫通孔に貫設され、前記接合溝のそれぞれは、前記凸縁に当接するように設けられていることが好ましい。
【００１３】
また、一方の側部に設けられた貫通孔と、他方に側部に設けられた接合溝と、をそれぞれ有する複数の扉体をさらに備え、前記レンズ環体は、下側に設けられた複数の凸柱を有し、前記ベースの中には、複数の凸縁が設けられ、前記凸柱のそれぞれは、前記貫通孔に貫設され、前記接合溝のそれぞれは、前記凸縁に当接するように設けられていることが好ましい。
【００１４】
また、一方の側部に設けられた貫通孔と、他方に側部に設けられた接合溝と、をそれぞれ有する複数の扉体をさらに備え、前記レンズ環体は、下側に設けられた複数の凸柱を有し、前記ベースの中には、複数の凸縁が設けられ、前記凸柱のそれぞれは、前記貫通孔に貫設され、前記接合溝のそれぞれは、前記凸縁に当接するように設けられていることが好ましい。
【００１５】
また、前記扉体は、互いに当接させて閉めることが可能なように側部が傾斜面に形成されていることが好ましい。
【００１６】
また、前記扉体は、互いに当接させて閉めることが可能なように側部が傾斜面に形成されていることが好ましい。
【００１７】
また、前記扉体は、互いに当接させて閉めることが可能なように側部が傾斜面に形成されていることが好ましい。
【００１８】
また、前記ベースは、両側にそれぞれ設けられた枢着部を有することが好ましい。
【００１９】
また、前記枢着部は枢着孔であることが好ましい。
【考案の効果】
【００２０】
本考案のネットワークカメラのハウジングは、公差を増大させて製造コストを下げることができる上、レンズ環体を回転させる際の手の感触を向上させることができる。
【図面の簡単な説明】
【００２１】
【図１】従来のネットワークカメラのハウジングを示す分解斜視図である。
【図２】従来のネットワークカメラのハウジングを示す部分断面図である。
【図３】本考案の一実施形態によるネットワークカメラのハウジングを示す分解斜視図である。
【図４】本考案の一実施形態によるネットワークカメラのハウジングを示す部分断面図である。
【図５】本考案の一実施形態によるネットワークカメラのハウジングを示す断面図である。
【図６】本考案の一実施形態によるネットワークカメラのハウジングを示す分解斜視図である。
【図７】本考案の一実施形態によるネットワークカメラのハウジングを示す部分断面図である。
【考案を実施するための形態】
【００２２】
以下、本考案の実施形態について図に基づいて説明する。なお、これによって本考案が限定されるものではない。
【００２３】
図３〜図５を参照する。図３〜図５に示すように、本考案の一実施形態によるネットワークカメラのハウジングは、ベース１、フレキシブル環体２及びレンズ環体３を含む。フレキシブル環体２は、ゴム又はその他の柔軟性材料からなる。ベース１の上部には、第１の結合部１１１を有する嵌合孔１１が設けられている。レンズ環体３の上側には、第１のリング状凸縁３１が環設され、上側と下側との間には、上から下方向にかけて第２の結合部３２及び第２のリング状凸縁３３が設けられている。第１のリング状凸縁３１は、嵌合孔１１の上側に当接される。第２のリング状凸縁３３は、第１の結合部１１１の下側に当接される。レンズ環体３の第１のリング状凸縁３１と第２のリング状凸縁３３とは、嵌合孔１１により互いに離間されている。フレキシブル環体２は、第１の結合部１１１と第２の結合部３２との間に挟設され、第１のリング状凸縁３１と第２のリング状凸縁３３との間に位置する。
【００２４】
上述の第１の結合部１１１は、第１の環槽であり、第２の結合部３２は、第２の環槽である。フレキシブル環体２は、一方の側部が第１の結合部１１１に収納され、他方の側部が第２の結合部３２に収納される。本実施形態において、第１の結合部１１１及び第２の結合部３２は、水平方向及び垂直方向でフレキシブル環体２を挟設する。ユーザが第１のリング状凸縁３１に触ってレンズ環体３を回転させると、第１のリング状凸縁３１が嵌合孔１１の上側に接触しながら摺動し、第２のリング状凸縁３３が第１の結合部１１１の下側に接触しながら摺動する。これにより、レンズ環体３は、フレキシブル環体２を介してベース１に対して回転する。
【００２５】
上述の嵌合孔１１は、第１の結合部１１１を通るチャネル１１１１を有する。嵌合孔１１は、第１の結合部１１１の下側に設けられたストッパー１１２を有する。レンズ環体３の外周縁に設けられた案内ピン３４は、第１の結合部１１１の下側に位置し、チャネル１１１１に貫設する。ストッパー１１２は、案内ピン３４の位置を拘束するために用いる。ユーザは、所定角度までレンズ環体３を回転させると、案内ピン３４の位置がストッパー１１２により拘束され、レンズ環体３の回転角度が拘束される。
【００２６】
図６及び図７を参照する。図６及び図７に示すように、本考案の一実施形態によるネットワークカメラのハウジングは、複数（例えば、２つ）の扉体４を含む。扉体４は、一方の側部に設けられた貫通孔４１と、他方の側部に設けられた接合溝４２と、を含む。レンズ環体３の下側には、複数（例えば、２つ）の凸柱３５が設けられている。本実施形態の凸柱３５は、案内ピン３４に対応した箇所に設けられている（図６に示す）。複数の凸柱３５は、貫通孔４１にそれぞれ貫設されている。複数の接合溝４２は、ベース１の中の凸縁１３に当接するようにそれぞれ設けられている。ユーザがレンズを開く場合、正方向にレンズ環体３を回転させると、貫通孔４１に貫設した凸柱３５が扉体４を水平移動させ、回転させるとともに、扉体４の接合溝４２を凸縁１３に沿って水平移動させ、回転させて扉体４を開く。レンズを閉める場合、レンズ環体３を負方向へ回転させて扉体４を閉める。
【００２７】
上述の扉体４は、互いに当接させて閉めることができるように、側部が傾斜面となっている。
【００２８】
上述のベース１は、両側に設けられた枢着部１２（例えば、枢着孔又は枢着軸）を有する。ベース１は、枢着部１２により、その他の装置と回動可能に構成されている。
【００２９】
上述したことから分かるように、ユーザがレンズ環体３を回転させると、扉体４を開閉することができる（即ち、レンズの開閉を制御することができる。）。レンズ環体３とベース１とは、フレキシブル環体２を介して組み合わされている。また、レンズ環体３の第２の結合部３２の端面と、ベース１の第１の結合部１１１の端面とは、フレキシブル環体２により互いに接触しないようにされている。これにより、レンズ環体３を回転させる際、フレキシブル環体２により柔軟に支持されるため、ユーザの手に与える感触を向上させることができる。また、フレキシブル環体２が適宜変形することにより、レンズ環体３とベース１との公差を吸収したり、バリ又は変形によりレンズ環体３又はベース１に生じる寸法誤差を吸収したりすることができる。そのため、レンズ環体３の第２の結合部３２と、ベース１の第１の結合部１１１との公差を増大させて製造コストを下げ、レンズ環体３とベース１との間が緩くなりすぎることを防ぐことができる。
【００３０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３１】
１  ベース
２  フレキシブル環体
３  レンズ環体
４  扉体
６  ベース
７  レンズ環体
８  扉体
１１  嵌合孔
１２  枢着部
１３  凸縁
３１  第１のリング状凸縁
３２  第２の結合部
３３  第２のリング状凸縁
３４  案内ピン
３５  凸柱
４１  貫通孔
４２  接合溝
６１  嵌合孔
６２  軸孔
７１  リング状凸縁
７２  凸柱
８１  貫通孔
８２  接合溝
１１１  第１の結合部
１１２  ストッパー
６１１  環溝
１１１１  チャネル
【図１】
0003162451.tif 000003
【図２】
0003162451.tif 000004
【図３】
0003162451.tif 000005
【図４】
0003162451.tif 000006
【図５】
0003162451.tif 000007
【図６】
0003162451.tif 000008
【図７】
0003162451.tif 000009